(57)【特許請求の範囲】
【請求項１】
タッチパネルと、
前記タッチパネルに対するユーザによる円状の軌跡を描く操作と前記タッチパネル上の前記円状の軌跡で囲まれた円状部のサイズを検出し、前記タッチパネル上の縦方向および横方向を基準としたときの前記円状部の縦横比を算出し、算出した円状部の縦横比を電子機器の制御情報として入力し、入力した円状部の縦横比に応じて電子機器の設定値を変更する制御手段と、
を有することを特徴とする電子機器。
【請求項２】
前記制御手段は、前記円状部のサイズが予め設定された一定値以上のときに前記円状部の縦横比を算出することを特徴とする請求項１に記載の電子機器。
【請求項３】
前記円状部のサイズは、前記タッチパネル上の縦方向および横方向を基準としたときの前記円状部の縦および横のサイズの合計又は前記円状部の面積であることを特徴とする請求項２に記載の電子機器。
【請求項４】
音声出力部をさらに有し、
前記電子機器の設定値は、前記音声出力部の音量設定値であることを特徴とする請求項１から３のいずれか１項に記載の電子機器。
【請求項５】
前記音量設定値の変更値は、前記円状部の縦横比の大小に応じて可変設定されることを特徴とする請求項４に記載の電子機器。
【請求項６】
前記制御手段は、前記音量設定値をｘとし、前記音量設定値の変更値をｙとし、前記円状部の縦横のサイズをそれぞれａ及びｂとしたとき、前記ｙを、前記ｘの（ａ／ｂ）倍又は（ｂ／ａ）倍とするように変更することを特徴とする請求項５に記載の電子機器。
【請求項７】
タッチパネルを利用した電子機器において、
制御手段が、前記タッチパネルに対するユーザによる円状の軌跡を描く操作と前記タッチパネル上の前記円状の軌跡で囲まれた円状部のサイズを検出し、前記タッチパネル上の縦方向および横方向を基準としたときの前記円状部の縦横比を算出し、算出した円状部の縦横比を電子機器の制御情報として入力し、入力した円状部の縦横比に応じて電子機器の設定値を変更することを特徴とする電子機器の設定値変更方法。
【請求項８】
前記制御手段が、前記円状部のサイズが予め設定された一定値以上のときに前記円状部の縦横比を算出することを特徴とする請求項７に記載の電子機器の設定値変更方法。
【請求項９】
前記円状部のサイズは、前記タッチパネル上の縦方向および横方向を基準としたときの前記円状部の縦および横のサイズの合計又は前記円状部の面積であることを特徴とする請求項８に記載の電子機器の設定値変更方法。
【請求項１０】
前記電子機器には、音声出力部が設けられ、
前記電子機器の設定値は、前記音声出力部の音量設定値であることを特徴とする請求項７から９のいずれか１項に記載の電子機器の設定値変更方法。
【請求項１１】
前記音量設定値の変更値は、前記円状部の縦横比の大小に応じて可変設定されることを特徴とする請求項１０に記載の電子機器の設定値変更方法。
【請求項１２】
前記制御手段が、前記音量設定値をｘとし、前記音量設定値の変更値をｙとし、前記円状部の縦横のサイズをそれぞれａ及びｂとしたとき、前記ｙを、前記ｘの（ａ／ｂ）倍又は（ｂ／ａ）倍とするように変更することを特徴とする請求項１１に記載の電子機器の設定値変更方法。
【請求項１３】
請求項１から６のいずれか１項に記載の電子機器で構成されることを特徴とする携帯端末。
【請求項１４】
請求項１から６のいずれか１項に記載の電子機器で構成されることを特徴とするポータブルミュージックプレイヤー。
【発明の詳細な説明】
【技術分野】
【０００１】
本発明は、タッチパネルを利用した携帯端末やポータブルミュージックプレイヤー等の電子機器およびその音量設定値などの設定値を変更する設定値変更方法に関する。
【背景技術】
【０００２】
近年、タッチパネルを用いた携帯電話機などの情報端末が増えてきている。このような情報端末では、特にタッチパネル以外のボタンを極力排除した製品などが増えてきている。一般に、ポータブルミュージックプレイヤーや携帯電話機などのタッチパネルでの入力を可能とした電子機器においては、ユーザがタッチパネルに触れることにより、音声や映像データの音量などの設定値の変更を行う。その一例として、電子機器の表示部に設けられたタッチパネルにおいて、スライドバーから音量や再生位置などの設定値の制御を行うものがある。【０００３】
上記のようなタッチパネルを利用した電子機器として、次のような先行技術が知られている。【０００４】
例えば、特許文献１には、タッチパネルのうち、表示部に表示される音量調整領域画像に重なる部分に、相互に離間して音量アップ領域および音量ダウン領域を設定し、両領域間に直線状に隣接する複数の音量調整領域を設定し、これらの領域への物体の接触を検出し、その検出結果に応じて音響出力装置から出力される音量が、複数の段階に分けられる音量のうちのいずれかとなるように音響信号を変更する音響装置が記載されている。これによれば、タッチパネルを用いて音量レベルを調整するときに、利用者が所望の音量レベルに合わせやすい音響装置を提供可能とされている。【０００５】
また、特許文献２には、タッチパネルのタッチ面への押圧力を検出し、検出した押圧力に対応する報知内容に基づいて報知手段を制御する入力操作装置が記載されている。これによれば、利用者の操作感を向上させることができる入力操作装置を提供可能とされている。【０００６】
また、特許文献３には、タッチパネルを搭載した２つの表示画面を隣接配置してなる表示装置であって、２つの表示画面を１画面として画像データを表示させ、２つの表示画面各々のタッチパネルにおけるタッチ点の位置を検出し、検出されたタッチ点の移動に応答して、２つの表示画面上での各タッチ点の座標位置と表示されている画像データ内の各座標位置とが一致するように、当該画像データを拡大または縮小して表示させる表示装置が記載されている。これによれば、複数の表示画面を隣接配置して全体表示サイズを大きくした際に、各々の表示画面に設けたタッチパネルを利用して表示画像の拡大／縮小の操作を簡単に行うことが可能な表示装置を提供可能とされている。【０００７】
さらに、特許文献４には、タッチパネルから所定の１画の手書き筆跡（例えば、右回りの円または左周りの円）を入力し、入力された手書き筆跡の方向転換動向の比較分析を行い、方向転換動向の比較分析に基づき、例えば、手書き筆跡が右回りの円であれば、音量を上げたり、左周りの円であれば、音量を下げたりするように音量調節機能等の所定の機能を実施する電子装置の入力装置が記載されている。これによれば、操作インターフェイスに好適な操作が簡単で便利な入力装置を提供可能とされている。
【先行技術文献】
【特許文献】
【０００８】
【特許文献１】特開２００８−４８１０５号公報
【特許文献２】特開２００７−２０７１１０号公報
【特許文献３】特開２００７−２４０９６４号公報
【特許文献４】特開２００７−３１７１５９号公報
【発明の概要】
【発明が解決しようとする課題】
【０００９】
上述したようにタッチパネルを用いた電子機器では、表示部に設けられたタッチパネルでスライドバーから音量や再生位置などの設定値の制御を行うことができる。この場合、タッチパネルの操作による設定値の変更は、パネルを視認しながらのボタンやスライドバーの操作が原則となっている。このため、スライドバーを用いて行うには、タッチパネルを視認した上でスライドバーのつまみやボタンを操作する必要がある。【００１０】
これに関し、携帯電話機などの電子機器において、タッチパネルを利用しないボタン操作では、ブラインドでの操作が可能な機器も多いため、タッチパネルを利用したボタン操作でも同様にブラインドでの操作が望まれている。例えば、ポータブルミュージックプレイヤーの音量調節などは頻繁に行われるため、ユーザが画面を確認せずに変更を行えることが重要となる。【００１１】
しかし、上述した特許文献１〜４は、ブラインドの状態でも容易に音量などの設定値変更を可能とすることを必ずしも考慮したものでない。【００１２】
例えば、特許文献１や特許文献２では、タッチパネルの操作にて、設定値の変更を行うが、設定値の変更にはタッチパネルの視認が必要でブラインドでの操作が困難である。【００１３】
また、特許文献３では、２点を操作して拡大縮小を行うが、この方法では、ポケットやかばんなどで電子機器を片手に持った状態では、電子機器を握るために他の指を使用するため、一般的には親指のみでしか操作させることができないことが多い。また、スタイラスを用いる場合には、スタイラスを２本用意する必要がある。【００１４】
さらに、特許文献４では、１画の手書き筆跡により例えば右回り又は左回りの円によって音量の上げ下げを行うが、この場合、ユーザが希望する音量まで調整するのに何回も操作する必要があり、１回の操作で容易に所望の音量に調整することが困難である。【００１５】
本発明の目的は、上記課題を解決し、ブラインドの状態でも容易に音量などの設定値変更を可能とするタッチパネルを利用した電子機器およびその設定値変更方法を提供することにある。
【課題を解決するための手段】
【００１６】
本発明の第１の観点によれば、タッチパネルと、前記タッチパネルに対するユーザによる円状の軌跡を描く操作と前記タッチパネル上の前記円状の軌跡で囲まれた円状部のサイズを検出し、前記タッチパネル上の縦方向および横方向を基準としたときの前記円状部の縦横比を算出し、算出した円状部の縦横比を電子機器の制御情報として入力し、入力した円状部の縦横比に応じて電子機器の設定値を変更する制御手段と、を有することを特徴とするタッチパネルを利用した電子機器が提供される。【００１７】
本発明の第２の観点によれば、タッチパネルを利用した電子機器において、制御手段が、前記タッチパネルに対するユーザによる円状の軌跡を描く操作と前記タッチパネル上の前記円状の軌跡で囲まれた円状部のサイズを検出し、前記タッチパネル上の縦方向および横方向を基準としたときの前記円状部の縦横比を算出し、算出した円状部の縦横比を電子機器の制御情報として入力し、入力した円状部の縦横比に応じて電子機器の設定値を変更することを特徴とするタッチパネルを利用した電子機器の設定値変更方法が提供される。
【発明の効果】
【００１８】
本発明によれば、タッチパネルを利用した電子機器において、タッチパネルに円状の軌跡を描くタッチ操作を行うことで、ブラインドの状態でも容易に音量などの設定値変更を可能とする設定値変更方法を提供することができる。
【図面の簡単な説明】
【００１９】
【図１】本発明の実施の形態に係るタッチパネルを利用した電子機器の構成を示す概略ブロック図である。
【図２】図１に示すタッチパネルの操作により設定値を変更する場合の動作を説明する模式的な図である。
【図３】図１に示すタッチパネルの操作により音量設定値を変更する場合の動作を説明する概略フローチャートである。
【図４】（ａ）〜（ｄ）は、円の縦横比ａ／ｂと音量設定値の変更値との関係を説明する図である。
【発明を実施するための形態】
【００２０】
次に、本発明に係るタッチパネルを利用した電子機器およびその設定値変更方法の実施の形態について、図面を参照して詳細に説明する。
【００２１】
図１は、タッチパネルを利用した電子機器としての端末（携帯端末）１の構成の一例を表している。図１に示す端末１は、制御部１１と、表示・入力制御部１２と、表示部を構成するタッチパネル１３と、入力情報制御部１４と、内／外部記憶装置（メモリ等）１５と、音声出力部１６とを備える。その他、端末１が例えば携帯電話機の場合は、音声通話を可能とする無線通信部、音声入力部などの既知の構成要素も含まれる。
【００２２】
タッチパネル１３は、表示画面上においてユーザが指で触った場所を特定するためのもので、既知の抵抗膜方式や静電容量方式等、電子機器で利用されるものであれば、いずれの方式を用いたものでも適用可能である。内／外部記憶装置１５は、既知のメモリ（ＲＯＭ（Read Only Memory）／ＲＡＭ（Random Access Memory））等、電子機器で利用されるものであれば、いずれの記憶装置でも適用可能である。制御部１１、表示・入力制御部１２、および入力情報制御部１４は、本発明の制御手段を構成し、各々の機能が実現可能なものであれば、個別に設けても、一体的に設けても、いずれでも適用可能である。
【００２３】
制御部１１は、例えば、プログラム制御で動作するＣＰＵ（Central Processing Unit）を有するマイクロコントローラ（マイクロプロセッサ）で構成され、メモリ（非図示）に予め設定された制御プログラムの命令に従い端末１内の各部（各装置）の動作タイミング等の制御を行う。
【００２４】
表示・入力制御部１２は、ユーザのタッチパネル１３に対する操作（タッチ操作）に応じた信号（操作信号）を入力情報として制御部１１に渡すと共に、制御部１１からのタッチ操作の判定結果情報に基づく各種情報をタッチパネル１３上に表示させる制御を行う。
【００２５】
入力情報制御部１４は、ユーザのタッチパネル１３に対する操作が円状（真円（正円）、楕円の形状を含む。以下同様）の軌跡を描く操作であるかを判定する制御や、タッチパネル１３上の円状の軌跡で囲まれた円状部（真円（正円）、楕円を含む。以下同様）の縦横比の算出やその縦横比を基に音声出力部１６の音量などの設定値の変更値を算出する制御を行う。
【００２６】
上記の構成において、ユーザのタッチパネル１３に対する操作に応じた信号は、表示・入力制御部１２によって入力情報として制御部１１に送られる。送られた入力情報は、制御部１１によって判定される。その判定結果情報は、表示・入力制御部１２に返される。これにより、タッチパネル１３への操作に応じた情報の表示や、入力情報として内／外部記憶装置１５へのデータの保存が行なわれる。
【００２７】
また、本実施の形態の場合、ユーザのタッチパネル１３に対する操作に応じた信号は、表示・入力制御部１２、制御部１１を介して、タッチパネル１３に対する入力情報として入力情報制御部１４に渡される。これにより、入力情報制御部１４が、ユーザのタッチ操作が円状の軌跡を描く操作であるかを判定する制御や、円状の軌跡で囲まれた円状部２１の縦横比の算出やその縦横比を基に音声出力部１６の音量などの設定値の変更値を算出する制御を行い、上記と同様にタッチパネル１３への情報の表示や、内／外部記憶装置１５へのデータの保存を行う。
【００２８】
図２は、本発明の仕組みを説明するもので、図１に示すタッチパネル１３の操作により、音量などの設定値を変更する動作を表している。
【００２９】
図２において、ユーザがタッチパネル１３上にタッチ操作を行うと、入力情報制御部１４では、その操作が、一定以上の大きさ（サイズ）で円状の軌跡を描いた操作かどうかを判断する。その結果、タッチパネル１３上に円状の軌跡を描いた操作と判断された場合は、入力された円状の軌跡で囲まれた円状部２１のタッチパネル１３上の位置に対応する座標からタッチパネル１３の互いに直交する２方向（正面から見たときのタッチパネル１３の縦方向および横方向）を基準としたときの円状部２１の縦のサイズａ（図２参照）と横のサイズｂ（図２参照）を検出し、その検出結果から縦横比ａ／ｂを算出する。そして、制御部１１は、入力情報制御部１４により算出された円状部２１の縦横比ａ／ｂを端末１の制御情報として入力し、その縦横比ａ／ｂの値に従い、音声出力部１６の音量設定値などの設定値を変更する。
【００３０】
図３は、端末１の設定値として、音声出力部１６の音量設定値を例に挙げて、その音量設定値を変更する場合の端末１の動作を説明するフローチャートである。
【００３１】
図３に示すように、制御部１１は、表示・入力制御部１２からの信号によりユーザのタッチパネル１３上でのタッチ操作を検知すると（ステップＳ３１）、そのタッチ操作に関する情報をタッチパネル１３に対する入力情報として入力情報制御部１４に渡す。そうすると、入力情報制御部１４は、そのタッチパネル１３に対する入力情報に基づいて、ユーザのタッチ操作が円状の軌跡を描くタッチ操作かどうかを判断する（ステップＳ３２）。この判断は、例えばタッチパネル１３に対する操作の軌跡の縦方向（Ｙ方向）、横方向（Ｘ方向）の座標（Ｘ、Ｙ座標）に基づく形状判定法等の手法を用いて行う。この手法を用いたソフトウェアは、例えば入力情報制御部１４のメモリに設定されている。
【００３２】
その結果、円状の軌跡を描くタッチ操作でない場合（ステップＳ３２：ＮＯ）、入力情報制御部１４は、設定値変更のタッチ動作ではなく、他のタッチ動作であると判断する（ステップＳ３３）。
【００３３】
一方、円状の軌跡を描くタッチ操作の場合（ステップＳ３２：ＹＥＳ）、入力情報制御部１４は、円状の軌跡で囲まれた円状部２１のサイズが一定値以上かどうかを判断する（ステップＳ３４）。円状部２１のサイズの判断は、タッチパネル１３上の縦方向、横方向を基準としたときの円状部２１の縦、横のサイズの合計や円状部２１の面積などで判断する。この判断は、例えばタッチパネル１３上の円状部２１を成す円状の軌跡の縦方向（Ｙ方向）、横方向（Ｘ方向）の座標（Ｘ、Ｙ座標）に基づく面積計算法等の手法を用いて行う。この手法を用いたソフトウェアは、例えば入力情報制御部１４のメモリに設定されている。円状部２１の縦のサイズは、例えばＹ座標の最大値と最小値とを取得することにより、両値の差分から検出することができる。同様に、円状部２１の横のサイズは、例えばＸ座標の最大値と最小値とを取得することにより、両値の差分から検出することができる。
【００３４】
その結果、円状部２１のサイズが予め設定された一定値未満の場合（ステップＳ３４：ＮＯ）、入力情報制御部１４は、設定値変更のタッチ動作ではなく、他のタッチ動作であると判断する（ステップＳ３３）。
【００３５】
一方、円状部２１のサイズが一定値以上の場合（ステップＳ３４：ＹＥＳ）、入力情報制御部１４は、前述したように、入力された円状部２１を成す円状の軌跡の縦方向（Ｙ方向）、横方向（Ｘ方向）の座標（Ｘ、Ｙ座標）からその円状部２１の縦のサイズａと横のサイズｂを検出し、円状部２１の縦横比ａ／ｂを算出する（ステップＳ３５）。そして、制御部１１は、入力情報制御部１４が算出した円状部２１の縦横比ａ／ｂを端末１の制御情報として入力し、その円状部２１の縦横比ａ／ｂを元に、音声出力部１６の音量設定値を変更する（ステップＳ３６）。
【００３６】
音量設定値の変更値は、円状部２１の縦横比ａ／ｂの大小に応じて可変設定してもよい。例えば、図４（ａ）〜（ｄ）に示すように、ａ／ｂ＝１．５の場合は音量１．５倍、ａ／ｂ＝２の場合は音量２倍、ａ／ｂ＝０．５の場合は音量０．５倍、ａ／ｂ＝０．２５の場合は音量０．２５倍にそれぞれ変更する。
【００３７】
この場合、縦横比ａ／ｂと音量設定値の変更値との関係は、例えば現在の音量設定値をｘとし、その変更値をｙとしたとき、ｙをｘの（ａ／ｂ）倍とするように変更してもよい。
【００３８】
又は、上記の円状部２１の縦と横のサイズの関係とは逆に、ａ／ｂの逆数ｂ／ａを用いて、ｙをｘの（ｂ／ａ）倍とするように変更してもよい。
【００３９】
また、内／外部記憶装置１５又は制御部１１内のメモリにａ／ｂ又はその逆数ｂ／ａと音量設定値の変更値ｙとの関係を表すテーブルを予め設定し、そのテーブルを制御部１１が参照することにより、入力されたａ／ｂ又はその逆数ｂ／ａからこれに対応する音量設定値の変更値ｙを選択するものでもよい。
【００４０】
以上のように、本実施の形態では、タッチパネル１３に入力されたタッチ操作の軌跡が円状の動きかどうかを判断し、円状の動きであった場合に、その円状部２１の縦横比ａ／ｂを算出して、算出した円状部２１の縦横比ａ／ｂを端末１の制御情報として入力し、その円状部２１の縦横比ａ／ｂに応じて端末１の音量などの設定値を変更する。こうすることで、１点のタッチ操作かつ１回の操作で、かつ、視認せずに設定値の調整を行うことができる。
【００４１】
これにより、本実施の形態では、携帯電話機などの電子機器の表示部に設けられたタッチパネル上にて画面表示を確認することなく、音量等のパラメータ制御を行う方法を提供することができる。
【００４２】
すなわち、本実施の形態によれば、タッチパネルに円状の軌跡を描くタッチ操作を行うことで、ブラインドの状態でも容易に音量などの設定値変更が可能となる。
【００４３】
なお、上記実施の形態では、タッチパネルを利用した電子機器として携帯電話機などの携帯端末を用いた場合を説明しているが、本発明は必ずしもこれに限定されるものではなく、タッチパネルを利用したものであれば、ポータブルミュージックプレイヤー、電子書籍を閲覧可能な専用端末（電子書籍端末等）などの他の電子機器でも適用可能である。
【００４４】
また、上記実施の形態では、タッチパネルを利用した電子機器である端末１の設定値として音量設定値を変更する場合を説明しているが、本発明は必ずしもこれに限定されるものではなく、タッチパネルを利用して変更が可能な電子機器の設定値であれば、いずれのものでも適用可能である。
【００４５】
また、上記実施の形態で説明したタッチパネルを利用した電子機器およびその設定値変更方法は、ハードウェア、ソフトウェア又はこれらの組合せにより実現することができる。この場合のハードウェア、ソフトウェア構成は特に限定されるものではなく、上述した各構成要素の機能を実現可能であれば、いずれのものでも適用可能である。例えば、上述した各構成要素の機能毎に回路や部品等を独立させて個別に構成したものでも、複数の機能を１つの回路や部品等に組み入れて一体的に構成したものでも、いずれでもよい。
【００４６】
上記の実施形態の一部又は全部は、以下の付記のようにも記載されうるが、以下には限定されない。
【００４７】
（付記１）タッチパネルと、前記タッチパネルに対するユーザによる円状の軌跡を描く操作と前記タッチパネル上の前記円状の軌跡で囲まれた円状部のサイズを検出し、前記タッチパネル上の縦方向および横方向を基準としたときの前記円状部の縦横比を算出し、算出した円状部の縦横比を電子機器の制御情報として入力し、入力した円状部の縦横比に応じて電子機器の設定値を変更する制御手段と、を有することを特徴とする電子機器。
【００４８】
（付記２）前記制御手段は、前記円状部のサイズが予め設定された一定値以上のときに前記円状部の縦横比を算出することを特徴とする付記１に記載の電子機器。
【００４９】
（付記３）前記円状部のサイズは、前記タッチパネル上の縦方向および横方向を基準としたときの前記円状部の縦および横のサイズの合計又は前記円状部の面積であることを特徴とする付記２に記載の電子機器。
【００５０】
（付記４）音声出力部をさらに有し、前記電子機器の設定値は、前記音声出力部の音量設定値であることを特徴とする付記１から３のいずれか１項に記載の電子機器。
【００５１】
（付記５）前記音量設定値の変更値は、前記円状部の縦横比の大小に応じて可変設定されることを特徴とする付記４に記載の電子機器。
【００５２】
（付記６）前記制御手段は、前記音量設定値をｘとし、前記音量設定値の変更値をｙとし、前記円状部の縦横のサイズをそれぞれａ及びｂとしたとき、前記ｙを、前記ｘの（ａ／ｂ）倍又は（ｂ／ａ）倍とするように変更することを特徴とする付記５に記載の電子機器。
【００５３】
（付記７）タッチパネルを利用した電子機器において、制御手段が、前記タッチパネルに対するユーザによる円状の軌跡を描く操作と前記タッチパネル上の前記円状の軌跡で囲まれた円状部のサイズを検出し、前記タッチパネル上の縦方向および横方向を基準としたときの前記円状部の縦横比を算出し、算出した円状部の縦横比を電子機器の制御情報として入力し、入力した円状部の縦横比に応じて電子機器の設定値を変更することを特徴とする電子機器の設定値変更方法。
【００５４】
（付記８）前記制御手段が、前記円状部のサイズが予め設定された一定値以上のときに前記円状部の縦横比を算出することを特徴とする付記７に記載の電子機器の設定値変更方法。
【００５５】
（付記９）前記円状部のサイズは、前記タッチパネル上の縦方向および横方向を基準としたときの前記円状部の縦および横のサイズの合計又は前記円状部の面積であることを特徴とする付記８に記載の電子機器の設定値変更方法。
【００５６】
（付記１０）前記電子機器には、音声出力部が設けられ、前記電子機器の設定値は、前記音声出力部の音量設定値であることを特徴とする付記７から９のいずれか１項に記載の電子機器の設定値変更方法。
【００５７】
（付記１１）前記音量設定値の変更値は、前記円状部の縦横比の大小に応じて可変設定されることを特徴とする付記１０に記載の電子機器の設定値変更方法。
【００５８】
（付記１２）前記制御手段が、前記音量設定値をｘとし、前記音量設定値の変更値をｙとし、前記円状部の縦横のサイズをそれぞれａ及びｂとしたとき、前記ｙを、前記ｘの（ａ／ｂ）倍又は（ｂ／ａ）倍とするように変更することを特徴とする付記１１に記載の電子機器の設定値変更方法。
【００５９】
（付記１３）付記１から６のいずれか１項に記載の電子機器で構成されることを特徴とする携帯端末。
【００６０】
（付記１４）付記１から６のいずれか１項に記載の電子機器で構成されることを特徴とするポータブルミュージックプレイヤー。
【００６１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６２】
この出願は、２００９年９月１７日に出願された日本出願特願２００９−２１５６３３号を基礎とする優先権を主張し、その開示の全てをここに取り込む。
【産業上の利用可能性】
【００６３】
以上説明したように、本発明は、タッチパネルを利用した携帯端末やポータブルミュージックプレイヤーなどの電子機器の用途に利用可能である。
【符号の説明】
【００６４】
１  端末（電子機器）
１１  制御部
１２  表示・入力制御部
１３  タッチパネル
１４  入力情報制御部
１５  内／外部記憶装置
１６  音声出力部
２１  円状部
【図１】
0005590342.tif 000002
【図２】
0005590342.tif 000003
【図３】
0005590342.tif 000004
【図４】
0005590342.tif 000005